(57)【特許請求の範囲】
【請求項１】
リフォーカスを実現するための方法であって、前記方法は電子装置に適用され、
異なる被写界深度を有する撮影される物体の少なくとも２つの画像を取得するステップと、
ユーザにより前記少なくとも２つの画像のうち１つの部分領域に対して実施される命令動作を取得し、前記命令動作に従ってターゲット領域を決定するステップと、
前記少なくとも２つの画像の各々における前記ターゲット領域の鮮明度を取得するステップと、
前記少なくとも２つの画像の各々における前記ターゲット領域の鮮明度に従ってターゲット画像を生成するステップと、
を含み、
異なる被写界深度を有する撮影される物体の少なくとも２つの画像を取得するステップの前に、
前記ユーザにより提供され前記撮影される物体のものである被写界深度範囲を取得するステップをさらに含み、
異なる被写界深度を有する撮影される物体の少なくとも２つの画像を取得するステップは、
前記被写界深度範囲において、前記異なる被写界深度を有する撮影される物体の少なくとも２つの画像を取得するステップ
を含む、方法。
【請求項２】
前記少なくとも２つの画像の各々における前記ターゲット領域の鮮明度に従ってターゲット画像を生成するステップは、
前記少なくとも２つの画像から、鮮明度が所定の条件を満たすターゲット領域を有するＫ個の画像を取得するステップであって、Ｋ≧１、Ｋは整数であり、前記所定の条件は、前記鮮明度が第１の閾値以上であること、前記鮮明度が第２の閾値以下であること、および前記鮮明度が所定の値範囲に入ることのうち何れか１つであるステップと、
Ｋ＝１のとき、前記所定の条件を満たす画像を前記ターゲット画像として使用し、Ｋ＞１のとき、前記所定の条件を満たすＫ個の画像を合成して前記ターゲット画像を生成するステップと、
を含む、請求項１に記載の方法。
【請求項３】
Ｋ＝１のとき、前記少なくとも２つの画像の各々における前記ターゲット領域の鮮明度に従ってターゲット画像を生成するステップの前に、
リフォーカス・モードを取得するステップであって、前記リフォーカス・モードは鮮明リフォーカス・モードまたは不鮮明リフォーカス・モードを含み、前記鮮明リフォーカス・モードは、前記少なくとも２つの画像のうちそのターゲット領域が最高鮮明度を有する画像に従って前記ターゲット画像を生成するように前記電子装置に指示するように構成され、前記不鮮明リフォーカス・モードは、前記少なくとも２つの画像のうちそのターゲット領域が最低鮮明度を有する画像に従って前記ターゲット画像を生成するように前記電子装置に指示するように構成されるステップ
を含み、
前記少なくとも２つの画像の各々における前記ターゲット領域の鮮明度に従ってターゲット画像を生成するステップは、
前記少なくとも２つの画像の各々における前記リフォーカス・モードおよび前記ターゲット領域の鮮明度に従って前記ターゲット画像を生成するステップ
を含む、請求項２に記載の方法。
【請求項４】
前記命令動作に従ってターゲット領域を決定するステップは、
前記命令動作が実行される領域を前記ターゲット領域として使用するステップ、または
前記命令動作が実行される領域が顔領域であるとき、前記顔領域を前記ターゲット領域として使用するステップ、または
ポイントが中心である領域を前記ターゲット領域として使用するステップであって、前記ポイントは前記命令動作が実行される領域内にあるステップ
を含む、請求項１乃至３の何れか１項に記載の方法。
【請求項５】
前記ユーザにより提供され前記撮影される物体のものである被写界深度範囲を取得するステップの前に、
前記撮影される物体を含む基準画像をリアルタイムで収集するステップをさらに含み、
前記ユーザにより提供され前記撮影される物体のものである被写界深度範囲を取得するステップは、
前記ユーザにより提供され前記基準画像に含まれる少なくとも２つのピントを取得するステップと、
前記少なくとも２つのピントに対応する物体を覆う被写界深度範囲を取得するステップと、
をさらに含む、請求項１に記載の方法。
【請求項６】
ユーザにより前記少なくとも２つの画像のうち１つの部分領域に対して実施される命令動作を取得するステップの前に、グローバル・レジストレーションを前記少なくとも２つの画像に実施するステップさらに含む、請求項１乃至５の何れか１項に記載の方法。
【請求項７】
リフォーカスを実現するための電子装置であって、
異なる被写界深度を有する撮影される物体の少なくとも２つの画像を取得するように構成された画像取得ユニットと、
ユーザにより前記少なくとも２つの画像のうち１つの部分領域に対して実施される命令動作を取得するように構成された命令動作取得ユニットと、
前記命令動作に従ってターゲット領域を決定するように構成された決定ユニットと、
前記少なくとも２つの画像の各々における前記ターゲット領域の鮮明度を取得するように構成された鮮明度取得ユニットと、
前記少なくとも２つの画像の各々における前記ターゲット領域の鮮明度に従ってターゲット画像を生成するように構成された生成ユニットと、
を備え、
前記電子装置はさらに、前記ユーザにより提供され前記撮影される物体のものである被写界深度範囲を取得するように構成された被写界深度範囲取得ユニットを備え、前記画像取得ユニットは、前記被写界深度範囲において、前記異なる被写界深度を有する撮影される物体の少なくとも２つの画像を取得するように構成された、リフォーカスを実現するための電子装置。
【請求項８】
前記生成ユニットは、
前記少なくとも２つの画像から、鮮明度が所定の条件を満たすターゲット領域を有するＫ個の画像を取得し、
Ｋ＝１のとき、前記所定の条件を満たす画像を前記ターゲット画像として使用し、Ｋ＞１のとき、前記所定の条件を満たすＫ個の画像を合成して前記ターゲット画像を生成する
ように構成され、
Ｋ≧１、Ｋは整数であり、前記所定の条件は、前記鮮明度が第１の閾値以上であること、前記鮮明度が第２の閾値以下であること、および前記鮮明度が所定の値範囲に入ることのうち何れか１つである、
請求項７に記載の電子装置。
【請求項９】
Ｋ＝１のとき、前記電子装置は、
リフォーカス・モードを取得するように構成されたモード取得ユニットであって、前記リフォーカス・モードは鮮明リフォーカス・モードまたは不鮮明リフォーカス・モードを含み、前記鮮明リフォーカス・モードは、前記少なくとも２つの画像のうちそのターゲット領域が最高鮮明度を有する画像に従って前記ターゲット画像を生成するように前記電子装置に指示するように構成され、前記不鮮明リフォーカス・モードは、前記少なくとも２つの画像のうちそのターゲット領域が最低鮮明度を有する画像に従って前記ターゲット画像を生成するように前記電子装置に指示するように構成されたモード取得ユニットをさらに備え、
前記生成ユニットは、前記少なくとも２つの画像の各々における前記リフォーカス・モードおよび前記ターゲット領域の鮮明度に従って前記ターゲット画像を生成するように構成された、
請求項８に記載の電子装置。
【請求項１０】
前記決定ユニットは、
前記命令動作が実行される領域を前記ターゲット領域として使用するか、または、
前記命令動作が実行される領域が顔領域であるとき、前記顔領域を前記ターゲット領域として使用するか、または、
前記命令動作が実行される領域内にあるポイントが中心である領域を前記ターゲット領域として使用する
ように構成された、請求項７乃至９の何れか１項に記載の電子装置。
【請求項１１】
前記画像取得ユニットはさらに、前記撮影される物体を含む基準画像をリアルタイムに収集するように構成され、
前記被写界深度範囲取得ユニットは、前記ユーザにより提供され前記基準画像に含まれる少なくとも２つのピントを取得し、前記少なくとも２つのピントに対応する物体を覆う被写界深度範囲を取得するように構成された、
請求項７に記載の電子装置。
【請求項１２】
前記電子装置はさらに、グローバル・レジストレーションを前記少なくとも２つの画像に実施するように構成されたグローバル・レジストレーション・ユニットを備える、請求項７乃至１１の何れか１項に記載の電子装置。
【発明の詳細な説明】
【技術分野】
【０００１】
本発明は、画像処理技術の分野に関し、特に、リフォーカスを実現するための方法および電子装置に関する。
【背景技術】
【０００２】
撮影プロセスでは、適切なピントを選択することで写真の装飾的価値を改善することができる。今日、ピントの選択方式にはコモン・フォーカス（ｃｏｍｍｏｎ  ｆｏｃｕｓｉｎｇ）方式とリフォーカス方式がある。コモン・フォーカス方式とは、ピントが撮影プロセスで決定されるものであり、特に、オート・フォーカス、マニュアル・フォーカス、マルチ・フォーカス等が含まれる。リフォーカス方式とは、ピントが撮影後に決定されるものである。即ち、先ず撮影を実施し、後でフォーカスを実施する。
【０００３】
今日、リフォーカスを実現するための方法は主に、写真の各画素の奥行き情報を取得するステップと、奥行き情報に従って、ソフトウェア・アルゴリズムを用いて様々な奥行き情報を有する領域にぼかし処理を実施してリフォーカスを実現するステップとを含む。
【発明の概要】
【発明が解決しようとする課題】
【０００４】
従来の技術では、カメラ群の間の視差を用いて奥行き情報を計算でき、または、レーザ／赤外線測定装置を用いて奥行き情報を取得することができる。即ち、複数のカメラまたはレーザ／赤外線測定装置を、奥行き情報を取得するように構成する必要があり、これは、リフォーカスを実現するコストが高くなるという問題を必然的に生じさせる。
【課題を解決するための手段】
【０００５】
本発明の諸実施形態では、リフォーカスを実現するコストを削減できる、リフォーカスを実現するための方法および電子装置を提供する。
【０００６】
以上の目的を達成するために本発明の諸実施形態では以下の技術的解決策を使用する。
【０００７】
第１の態様によれば、リフォーカスを実現するための方法が提供される。当該方法は電子装置に適用され、異なる被写界深度を有する撮影される物体の少なくとも２つの画像を取得するステップと、ユーザにより当該少なくとも２つの画像のうち１つの部分領域に対して実施される命令動作を取得するステップと、当該命令動作に従ってターゲット領域を決定するステップと、当該少なくとも２つの画像の各々におけるターゲット領域の鮮明度を取得するステップと、当該少なくとも２つの画像の各々におけるターゲット領域の鮮明度に従ってターゲット画像を生成するステップとを含む。
【０００８】
第１の態様を参照して、第１の可能な実装方式では、少なくとも２つの画像の各々におけるターゲット領域の鮮明度に従ってターゲット画像を生成するステップは、当該少なくとも２つの画像から、鮮明度が所定の条件を満たすターゲット領域を有するＫ個の画像を取得するステップであって、Ｋ≧１、Ｋは整数であり、当該所定の条件は、鮮明度が第１の閾値以上であること、鮮明度が第２の閾値以下であること、および鮮明度が所定の値範囲に入ることのうち何れか１つであるステップと、Ｋ＝１のとき、当該所定の条件を満たす画像をターゲット画像として使用し、Ｋ＞１のとき、当該所定の条件を満たすＫ個の画像を合成してターゲット画像を生成するステップとを含む。
【０００９】
第１の態様の第１の可能な実装方式を参照して、第２の可能な実装方式では、Ｋ＝１のとき、少なくとも２つの画像の各々におけるターゲット領域の鮮明度に従ってターゲット画像を生成するステップの前に、当該方法は、リフォーカス・モードを取得するステップであって、当該リフォーカス・モードは鮮明リフォーカス・モードまたは不鮮明リフォーカス・モードを含み、鮮明リフォーカス・モードは、当該少なくとも２つの画像のうちそのターゲット領域が最高鮮明度を有する画像に従ってターゲット画像を生成するように電子装置に指示するように構成され、不鮮明リフォーカス・モードは、当該少なくとも２つの画像のうちそのターゲット領域が最低鮮明度を有する画像に従ってターゲット画像を生成するように当該電子装置に指示するように構成されるステップをさらに含み、当該少なくとも２つの画像の各々におけるターゲット領域の鮮明度に従ってターゲット画像を生成するステップは、当該少なくとも２つの画像の各々におけるリフォーカス・モードおよびターゲット領域の鮮明度に従ってターゲット画像を生成するステップを含む。
【００１０】
第１の態様および第１の態様の第１の可能な実装方式または第２の可能な実装方式の何れか１つを参照して、第３の可能な実装方式では、命令動作に従ってターゲット領域を決定するステップは、当該命令動作が実行される領域をターゲット領域として使用するステップ、または、当該命令動作が実行される領域が顔領域であるとき、当該顔領域をターゲット領域として使用するステップ、または、ポイントが中心である領域をターゲット領域として使用するステップであって、当該ポイントは当該命令動作が実行される領域内にあるステップを含む。
【００１１】
第１の態様を参照して、第４の可能な実装方式では、異なる被写界深度を有する撮影される物体の少なくとも２つの画像を取得するステップの前に、当該方法は、ユーザにより提供された当該撮影される物体の被写界深度範囲を取得するステップをさらに含み、異なる被写界深度を有する撮影される物体の少なくとも２つの画像を取得するステップは、当該被写界深度範囲において、当該異なる被写界深度を有する撮影される物体の少なくとも２つの画像を取得するステップを含む。
【００１２】
第１の態様の第４の可能な実装方式を参照して、第５の可能な実装方式では、ユーザにより提供された撮影される物体の被写界深度範囲を取得するステップの前に、当該方法はさらに、当該撮影される物体を含む基準画像をリアルタイムに収集するステップを含み、当該ユーザにより提供された撮影される物体の被写界深度範囲を取得するステップは、当該ユーザにより提供され当該基準画像に含まれる少なくとも２つのピントを取得するステップと、当該少なくとも２つのピントに対応する物体を覆う被写界深度範囲を取得するステップとを含む。
【００１３】
第１の態様および第１の態様の第１乃至第５の可能な実装方式の何れか１つを参照して、第６の可能な実装方式では、ユーザにより少なくとも２つの画像のうち１つの部分領域に対して実施される命令動作を取得するステップの前に、当該方法はさらに、グローバル・レジストレーションを当該少なくとも２つの画像に実施するステップを含む。
【００１４】
第２の態様によればリフォーカスを実現するための電子装置が提供される。当該電子装置は、異なる被写界深度を有する撮影される物体の少なくとも２つの画像を取得するように構成された画像取得ユニットと、ユーザにより当該少なくとも２つの画像のうち１つの部分領域に対して実施される命令動作を取得するように構成された命令動作取得ユニットと、当該命令動作に従ってターゲット領域を決定するように構成された決定ユニットと、当該少なくとも２つの画像の各々におけるターゲット領域の鮮明度を取得するように構成された鮮明度取得ユニットと、当該少なくとも２つの画像の各々におけるターゲット領域の鮮明度に従ってターゲット画像を生成するように構成された生成ユニットとを備える。
【００１５】
第２の態様を参照して、第１の可能な実装方式では、当該生成ユニットは特に、少なくとも２つの画像から、鮮明度が所定の条件を満たすターゲット領域を有するＫ個の画像を取得し、Ｋ＝１のとき、当該所定の条件を満たす画像をターゲット画像として使用し、Ｋ＞１のとき、当該所定の条件を満たすＫ個の画像を合成してターゲット画像を生成するように構成される。Ｋ≧１、Ｋは整数であり、当該所定の条件は、鮮明度が第１の閾値以上であること、鮮明度が第２の閾値以下であること、および鮮明度が所定の値範囲に入ることのうち何れか１つである。
【００１６】
第２の態様の第１の可能な実装方式を参照して、第２の可能な実装方式では、Ｋ＝１のとき、当該電子装置はさらに、リフォーカス・モードを取得するように構成されたモード取得ユニットであって、当該リフォーカス・モードは鮮明リフォーカス・モードまたは不鮮明リフォーカス・モードを含み、鮮明リフォーカス・モードは、当該少なくとも２つの画像のうちそのターゲット領域が最高鮮明度を有する画像に従ってターゲット画像を生成するように当該電子装置に指示するように構成され、不鮮明リフォーカス・モードは、当該少なくとも２つの画像のうちそのターゲット領域が最低鮮明度を有する画像に従ってターゲット画像を生成するように当該電子装置に指示するように構成されたモード取得ユニットを備える。当該生成ユニットは特に、当該少なくとも２つの画像の各々におけるリフォーカス・モードおよびターゲット領域の鮮明度に従ってターゲット画像を生成するように構成される。
【００１７】
第２の態様および第２の態様の第１の可能な実装方式または第２の可能な実装方式の何れかを参照して、第３の可能な実装方式では、当該決定ユニットは特に、当該命令動作が実行される領域をターゲット領域として使用するか、または、当該命令動作が実行される領域が顔領域であるとき、当該顔領域をターゲット領域として使用するか、または、当該命令動作が実行される領域内にあるポイントが中心である領域をターゲット領域として使用するように構成される。
【００１８】
第２の態様を参照して、第４の可能な実装方式では、当該電子装置はさらに、ユーザにより提供された撮影される物体の被写界深度範囲を取得するように構成された被写界深度範囲取得ユニットを備える。当該画像取得ユニットは特に、当該被写界深度範囲において、異なる被写界深度を有する撮影される物体の少なくとも２つの画像を取得するように構成される。
【００１９】
第２の態様の第４の可能な実装方式を参照して、第５の可能な実装方式では、当該画像取得ユニットはさらに、撮影される物体を含む基準画像をリアルタイムに収集するように構成され、当該被写界深度範囲取得ユニットは特に、ユーザにより提供され基準画像に含まれる少なくとも２つのピントを取得し、当該少なくとも２つのピントに対応する物体を覆う被写界深度範囲を取得するように構成される。
【００２０】
第２の態様および第２の態様の第１乃至第５の可能な実装方式の何れか１つを参照して、第６の可能な実装方式では、当該電子装置はさらに、グローバル・レジストレーションを少なくとも２つの画像に実施するように構成されたグローバル・レジストレーション・ユニットを備える。
【００２１】
本発明の諸実施形態に従うリフォーカスを実現するための方法および電子装置では、当該電子装置は、異なる被写界深度を有する撮影される物体の少なくとも２つの画像の各々におけるターゲット領域（即ち、リフォーカス領域）の鮮明度に従ってリフォーカスを実現する。このように、当該電子装置は複数のカメラまたはレーザ／赤外線測定装置を構成せずにリフォーカスを実現でき、それにより、先行技術と比べてリフォーカスを実現するコストが低減される。
【００２２】
本発明の諸実施形態または先行技術における技術的解決策をより明確に説明するために、以下では当該実施形態または先行技術を説明するのに必要な添付図面を簡単に説明する。明らかに、以下の説明における添付図面は本発明の幾つかの実施形態を示すにすぎず、当業者は創造的作業なしにこれらの添付図面から他の図面を導出することができる。
【図面の簡単な説明】
【００２３】
【図１】本発明の１実施形態に従うリフォーカスを実現する方法の略流れ図である。
【図２】本発明の１実施形態に従うリフォーカスを実現する別方法の略流れ図である。
【図３】本発明の１実施形態に従うリフォーカスを実現する別方法の略流れ図である。
【図４】本発明の１実施形態に従うリフォーカスを実現する電子装置の構造ブロック図である。
【図５】本発明の１実施形態に従うリフォーカスを実現する別の電子装置の構造ブロック図である。
【図６】本発明の１実施形態に従うリフォーカスを実現する別の電子装置の構造ブロック図である。
【発明を実施するための形態】
【００２４】
以下では、本発明の諸実施形態における添付図面を参照して、本発明の諸実施形態における技術的解決策を明確かつ十分に説明する。明らかに、説明する諸実施形態は本発明の諸実施形態の全部ではなく一部にすぎない。当業者が本発明の諸実施形態に基づいて創造的作業なしに取得する他の全ての実施形態は本発明の保護範囲に入るものとする。
【００２５】
本明細書の「および／または」という用語は、関連するものを説明するための関連付け関係を示すにすぎず、３つの関係が存在しうることを表すことに留意されたい。例えば、Ａおよび／またはＢとは、Ａのみが存在すること、ＡとＢの両方が存在すること、およびＢのみが存在することの３つのケースを表しうる。本明細書での文字「／」は一般に、関連するものの間の「選択的」関係を示す。さらに、「複数の」に特に言及されないケースでは、本明細書での「複数の」という用語は２つまたはそれより多くを示す。
【００２６】
実施形態１
図１は本発明の１実施形態に従うリフォーカスを実現するための方法を示す。当該方法は電子装置に適用され、以下を含む。
【００２７】
１０１で、異なる被写界深度を有する撮影される物体の少なくとも２つの画像を取得する。
【００２８】
「電子装置」とは、カメラ、スマートフォン、モバイル・コンピュータ、タブレット、ＰＤＡ（Ｐｅｒｓｏｎａｌ  Ｄｉｇｉｔａｌ  Ａｓｓｉｓｔａｎｔ、携帯情報端末）のような、撮影に使用できる装置をいう。当該電子装置がカメラを備えてもよく、特に、カメラが単一カメラであってもよい。当該電子装置を用いて、撮影される物体の画像を取得する。
【００２９】
本発明の当該実施形態では、様々な被写界深度を有する画像を当該電子装置により取得するための方法は限定されない。具体的には、様々な被写界深度を有する画像を、カメラのレンズの位置またはカメラ内の画像センサの位置を調節することで取得してもよい。例えば、当該電子装置に含まれるモータを用いてカメラのレンズの位置の移動を制御し、当該制御プロセスにおいて、撮影される少なくとも２つの画像が取得される。本発明の当該実施形態では、カメラのレンズを移動する際の間隔や移動方向（前方移動と後方移動を含む）は限定されない。
【００３０】
様々なユーザの要件を満たしユーザ・エクスペリエンスを高めるために、場合によっては、ステップ１０１の前に、当該方法がさらに、ステップＡ、即ち、当該ユーザにより提供された撮影される物体の被写界深度範囲を取得するステップを含んでもよい。この場合、ステップ１０１が、当該被写界深度範囲において、異なる被写界深度を有する撮影される物体の少なくとも２つの画像を取得するステップを含んでもよい。「少なくとも２つの画像」の各々の被写界深度は「被写界深度範囲」に入る。具体的な実装では、当該電子装置がユーザにより提供された「被写界深度範囲」を幾つかのサブセットに分割してもよく、各サブセットは被写界深度であり、その結果、各被写界深度で画像が取得されることに留意されたい。
【００３１】
例示的に、本発明の当該実施形態ではステップＡの実装方式は限定されない。２つの任意的な方式を以下に列挙する。
【００３２】
方式１：ステップＡの前に、当該方法がさらに、撮影される物体を含む基準画像をリアルタイムに収集するステップを含んでもよい。この場合、ステップＡが、ユーザにより提供され当該基準画像に含まれる少なくとも２つのピントを取得するステップと、当該少なくとも２つのピントに対応する物体を覆う被写界深度範囲を取得するステップとを含んでもよい。「ピント」とは、ユーザがリフォーカスの実現を望む物体に対応する、画像内の領域を指す。「少なくとも２つのピントに対応する物体を覆う被写界深度範囲」が、当該少なくとも２つのピントに対応する物体のうち、レンズに最も近い物体と当該レンズから最も遠い物体の間の被写界深度であってもよい。
【００３３】
方式２：１つまたは複数の被写界深度モードが当該電子装置に事前に格納され、各被写界深度モードが１つの被写界深度範囲に対応する。この場合、ステップＡが、当該電子装置が、ユーザにより提供されたターゲット被写界深度モードを取得し、当該ターゲット被写界深度モードに対応する被写界深度範囲を取得し、当該ターゲット被写界深度モードに対応する被写界深度範囲を撮影される物体の被写界深度範囲として使用することを含んでもよい。「被写界深度モード」に関する説明については、実施形態２を参照されたい。
【００３４】
１０２で、ユーザにより少なくとも２つの画像のうち１つの部分領域に対して実施される命令動作を取得する。
【００３５】
例示的に、「少なくとも２つの画像のうち１つ」とは当該少なくとも２つの画像のうち任意の１つであってもよい。「部分領域」とは、ユーザが直接的または間接的に電子装置に命令動作を実施するよう指示した領域をいう。「命令動作」は、クリック／ダブルクリック／押下保持のような、ユーザにより電子装置の表示ユニット（即ち、スクリーン）に対して実施される動作であってもよく、電子装置の表示ユニット上のユーザの視線であってもよい。「命令動作が電子装置の表示ユニット上のユーザの視線である」シナリオでは、視線追跡ユニットを電子装置内で構成してもよい。当該視線追跡ユニットは、スクリーン上の、ユーザの視線方向と視線が向かう位置とを捕捉してもよい。
【００３６】
具体的な実装では、ユーザが複数の命令動作を電子装置に提供してもよく、様々な命令動作が実施される領域が部分的に重複しても重複しなくともよい。「様々な命令動作が実施される領域が重複しない」を、以下の実施形態における説明で使用する。
【００３７】
ステップ１０２を特に以下のように実装してもよい。即ち、電子装置が、少なくとも２つの画像のうち何れか１つを当該電子装置の表示ユニットに表示し、ユーザが表示画像の部分領域に対して命令動作を実施する。１０３で、当該命令動作に従ってターゲット領域を決定する。
【００３８】
例示的に、「ターゲット領域」は画像内の領域範囲をさす。一般に、「少なくとも２つの画像」の各々がターゲット領域を含む。様々な画像が様々な被写界深度を有するので、様々な画像の各々に含まれるターゲット領域の鮮明度は様々である。各命令動作は１つのターゲット領域に対応し、様々な命令動作に対応するターゲット領域が部分的に重複しても重複しなくてもよい。「様々な命令動作に対応するターゲット領域が重複しない」を、以下の実施形態の説明で使用する。ターゲット領域の数が１であるとき、本発明の当該実施形態を用いてシングル・ポイント・リフォーカスを実現し、ターゲット領域の数が少なくとも２つであるとき、本発明の当該実施形態を用いてマルチ・ポイント・リフォーカスを実現する。
【００３９】
ステップ１０３が特に、当該命令動作が実行される領域をターゲット領域として使用するステップ、または、当該命令動作が実行される領域が顔領域であるとき、当該顔領域をターゲット領域として使用するステップ、または、ポイントが中心である領域をターゲット領域として使用するステップであって、当該ポイントは当該命令動作が実行される領域内にあるステップを含んでもよい。例示的に、ステップ１０３がさらに、当該命令動作が実施される領域が当該顔領域以外の別の物体の領域であるとき、当該別の物体が占有する領域をターゲット領域として使用するステップを含んでもよい。
【００４０】
「少なくとも２つの画像」の各々の画像化提案（ｉｍａｇｉｎｇ  ｐｒｏｐｏｓｉｔｉｏｎ）、座標位置等を一定に保って各画像内のターゲット領域を決定するために、場合によっては、ステップ１０２の前に、当該方法がさらに、グローバル・レジストレーションを当該少なくとも２つの画像に実施するステップを含んでもよい。
【００４１】
１０４で、当該少なくとも２つの画像の各々におけるターゲット領域の鮮明度を取得する。例示的に、ステップ１０４を特に以下のように実装してもよい。即ち、当該少なくとも２つの画像の各々のターゲット領域を決定し、各画像のターゲット領域の鮮明度を取得する。本発明の当該実施形態では、ターゲット領域の鮮明度を取得するための具体的な実装方法は限定されず、先行技術の方法の何れか１つを実装に使用してもよい。
【００４２】
１０５で、当該少なくとも２つの画像の各々におけるターゲット領域の鮮明度に従ってターゲット画像を生成する。
【００４３】
場合によっては、ステップ１０５が、少なくとも２つの画像から、鮮明度が所定の条件を満たすターゲット領域を有するＫ個の画像を取得するステップであって、Ｋ≧１、Ｋは整数であり、当該所定の条件は、鮮明度が第１の閾値以上であること、鮮明度が第２の閾値以下であること、および鮮明度が所定の値範囲に入ることのうち何れか１つであるステップと、Ｋ＝１のとき、当該所定の条件を満たす画像をターゲット画像として使用し、Ｋ＞１のとき、当該所定の条件を満たすＫ個の画像を合成してターゲット画像を生成するステップを含んでもよい。
【００４４】
さらに、場合によっては、Ｋ＝１のとき、ステップ１０５の前に、当該方法がさらに、リフォーカス・モードを取得するステップであって、当該リフォーカス・モードは鮮明リフォーカス・モードまたは不鮮明リフォーカス・モードを含み、鮮明リフォーカス・モードは、当該少なくとも２つの画像のうちそのターゲット領域が最高鮮明度を有する画像に従ってターゲット画像を生成するように当該電子装置に指示するように構成され、不鮮明リフォーカス・モードは、当該少なくとも２つの画像のうちそのターゲット領域が最低鮮明度を有する画像に従ってターゲット画像を生成するように当該電子装置に指示するように構成されるステップを含んでもよい。この場合、ステップ１０５が、当該少なくとも２つの画像の各々におけるリフォーカス・モードおよびターゲット領域の鮮明度に従ってターゲット画像を生成するステップを含んでもよい。
【００４５】
場合によっては、ステップ１０５の後、当該方法がさらに、ターゲット画像を表示するステップおよび／またはターゲット画像を保存するステップを含んでもよい。当該電子装置が自動的にターゲット画像を表示し保存してもよく、自動的にターゲット画像を表示し、ユーザ命令のもとでターゲット画像を保存してもよい。さらに、当該方法がさらに、ユーザの個別の要件を満たすターゲット画像を電子装置が生成するように、解像度のような、ユーザにより提供されたターゲット画像の性能識別子を受信するステップを含んでもよい。
【００４６】
本発明の当該実施形態に従うリフォーカスを実現するための方法では、電子装置は、異なる被写界深度を有する撮影される物体の少なくとも２つの画像の各々におけるターゲット領域（即ち、リフォーカス領域）の鮮明度に従ってリフォーカスを実現する。このように、電子装置は複数のカメラまたはレーザ／赤外線測定装置を構成せずにリフォーカスを実現でき、それにより、先行技術と比べてリフォーカスを実現するコストが削減される。
【００４７】
実施形態２
当該実施形態では、様々な命令動作が実施される領域は重複せず、様々な命令動作に対応するターゲット領域は重複しない。
【００４８】
図２は本発明の１実施形態に従うリフォーカスを実現するための方法を示す。当該方法は以下を含む。
【００４９】
２０１で、電子装置が、ユーザが提供した被写界深度モードを取得する。当該被写界深度モードはフルフォーカス・モード、マクロ・モード、人物風景モード等を含む。
【００５０】
例示的に、当該実施形態では、当該電子装置の所定の被写界深度モードが、フルフォーカス・モード、マクロ・モード、および人物風景モードを含む。具体的な実装では、当該被写界深度モードが別のモードを含んでもよく、または、以上のモードのうち１つまたは複数のみを含んでもよい。
【００５１】
ステップ２０１を以下のように実装してもよい。即ち、当該電子装置が浮動機能バーをスクリーンに表示する。当該浮動機能バーはフルフォーカス・モード・タブ、マクロ・モード・タブ、人物風景モード・タブ等を含む。ユーザは、以上のタブをトリガして、当該電子装置がユーザにより提供された被写界深度モードを取得できるようにする。
【００５２】
場合によっては、ステップ２０１を、電子装置がデフォルトの被写界深度モードを取得することで置き換えてもよい。
【００５３】
２０２で、被写界深度モードに対応する被写界深度範囲を取得する。具体的には、
（１）ステップ２０１で取得した被写界深度モードがフルフォーカス・モードであるとき、ステップ２０２の「被写界深度モードに対応する被写界深度範囲」が０から無限範囲（即ち、フル被写界深度）の間の被写界深度であってもよい。
（２）ステップ２０１で取得した被写界深度モードがマクロ・モードであるとき、ステップ２０２の「被写界深度モードに対応する被写界深度範囲」が接写範囲内の被写界深度であってもよい。この場合、（小さな鉢植えや小型おもちゃのような）小型物体の近接撮影に適している。接写範囲が０から５０ｃｍであってもよく、別の値範囲であってもよい。
（３）ステップ２０１で取得した被写界深度モードが人物風景モードであるとき、ステップ２０２の「被写界深度モードに対応する被写界深度範囲」が、人物と風景の範囲をカバーする被写界深度であってもよい。この場合、人物や風景を撮影するのに適している。当該人物と風景の範囲が５０ｃｍから無限であってもよく、別の値範囲であってもよい。
【００５４】
ユーザは、様々な被写界深度モードを選択することで様々な装飾効果を有する画像を取得し、それにより、当該ユーザの個別の要件を満たすことができる。さらに、当該ユーザは撮影される物体に従って被写界深度モードを適切に選択し、その結果、冗長な画像がステップ２０３で取得したＲ個の画像に含まれるという問題を効果的に回避することができる。冗長な画像とは、撮影される物体が被写界深度内にないことを意味する。例えば、被写界深度範囲は０から無限であるが、０から５０ｃｍの被写界深度範囲には撮影される物体がない。この場合、電子装置により取得され当該被写界深度を有する画像は冗長な画像である。この場合、ユーザは被写界深度モードを人物風景モードとして選択してもよい。
【００５５】
２０３で、当該被写界深度範囲において、異なる被写界深度を有する撮影される物体のＲ個の画像を取得する。Ｒは整数であり、Ｒ≧２である。２０４で、グローバル・レジストレーションを当該Ｒ個の画像の各々に実施する。
【００５６】
例示的に、当該電子装置が、先行技術のグローバル・レジストレーション機構の何れか１つを使用して、グローバル・レジストレーションを画像グループ内の画像に実施してもよい。ステップ２０４を実施した後、Ｒ個の画像の各々の画像化提案は一定であり、各画像の同一の位置の点の座標は同じである。例えば、当該Ｒ個の画像の各々における中心点の座標は同じであり、当該Ｒ個の画像の各々における左上頂点の座標は同じであり、当該Ｒ個の画像の各々における右上頂点の座標は同じである等である。
【００５７】
２０５で、当該Ｒ個の画像のうち何れか１つを表示する。２０６で、ユーザにより提供され当該画像のＭ個の領域に対して実施されるＭ個の命令動作を取得する。Ｍは整数であり、Ｍ≧１である。
【００５８】
例示的に、当該プロセスでは、ユーザが、電子装置にズーム・ブラウズ方式で表示された画像をブラウズして、命令動作が実施される領域を正確に特定してもよい。当該ズーム・ブラウズ方式において先行技術を参照してもよい。２０７で、当該Ｍ個の命令動作に従ってＭ個のターゲット領域を取得する。
【００５９】
例示的に、当該実施形態では、当該Ｍ個のターゲット領域をターゲット領域１、ターゲット領域２，・・・，ターゲット領域ｉ，・・・，およびターゲット領域Ｍとしてマークする。１≦ｉ≦Ｍであり、ｉは整数である。
【００６０】
場合によっては、ステップ２０７を特に以下の方式で実装してもよい。２０７．１で、Ｍ個の命令動作のうちｉ番目の命令動作が実施される領域が顔領域であるかどうかを逐次的に検出する。顔領域である場合はステップ２０７．２を実施する。そうでない場合にはステップ２０７．３を実施する。２０７．２で、当該顔領域をｉ番目のターゲット領域として使用する。２０７．３で、ポイントが中心である領域をｉ番目のターゲット領域として使用する。当該ポイントは、ｉ番目の命令動作が実施される領域である。この場合、ターゲット領域のサイズが１６×１６画素であってもよく、別の値であってもよい。
【００６１】
電子装置が、ユーザが顔認識モードの有効／無効を選択するためのタブを提供してもよいことに留意されたい。当該タブを、ステップ２０１で述べた「浮動機能バー」に配置してもよく、表示インタフェースに独立に配置してもよく、別の方式で配置してもよい。ユーザが必要に応じて顔認識モードを有効または選択にしてもよい。例えば、撮影される物体が顔を含むとき、顔認識モードを有効にするのを選択して、電子装置のリフォーカス精度を高め、撮影される物体が顔を含まないときは、顔認識モードを無効にするのを選択して、電子装置がリフォーカスを実現するのに必要な時間を短縮する。電子装置がデフォルトで顔認識モードを有効にしてもよく、このケースを当該実施形態における説明の例として使用する。
【００６２】
２０８で、Ｒ個の画像に含まれるターゲット領域の鮮明度を別々に取得する。例示的に、当該Ｒ個の画像の各々はターゲット領域１、ターゲット領域２，・・・，ターゲット領域ｉ，・・・，およびターゲット領域Ｍを含み、当該Ｒ個の画像は全部でＭ×Ｒ個のターゲット領域を含む。ｒ番目の画像に含まれるターゲット領域ｉをターゲット領域ｉｒとして表す。１≦ｒ≦Ｒであり、ｒは整数である。当該Ｒ個の画像に含まれるＭ×Ｒ個のターゲット領域を表１に列挙する。
【００６３】
【表１】
0006047807.tif 000002
【００６４】
ステップ２０５で表示した画像内のターゲット領域１の位置がターゲット領域１（ｘ１、ｙ１）であり、Ｘ１１≦ｘ１≦Ｘ１２かつＹ１１≦ｙ１≦Ｙ１２であると仮定する。当該Ｒ個の画像の各々における同一位置の位置座標は同一であるので、別のＲ−１個の画像におけるターゲット領域１の位置も（ｘ１、ｙ１）である。即ち、ｉ番目の画像におけるターゲット領域ｉ１の位置も（ｘ１、ｙ１）である。
【００６５】
ステップ２０５で表示した画像が画像グループ内のｂ番目の画像である場合、ターゲット領域ｉｂとターゲット領域ｉは同一画像内の同一領域を指すことに留意されたい。
【００６６】
２０９で、ユーザにより提供されたリフォーカス・モードを取得する。当該リフォーカス・モードは、鮮明リフォーカス・モードと不鮮明リフォーカス・モードを含む。
【００６７】
取得したリフォーカス・モードが鮮明リフォーカス・モードであるとき、ステップ２１０を実施する。取得したリフォーカス・モードが不鮮明リフォーカス・モードであるとき、ステップ２１１を実施する。
【００６８】
例示的に、ステップ２０９を以下のように実装してもよい。即ち、電子装置が鮮明リフォーカス・モード・タブおよび不鮮明リフォーカス・モード・タブをユーザに提供する。これらのタブをステップ２０１で述べた「浮動機能バー」に配置してもよく、表示インタフェースに独立に配置してもよく、別の方式で配置してもよい。ユーザが必要に応じて鮮明リフォーカス・モードまたは不鮮明リフォーカス・モードを選択してもよい。
【００６９】
ステップ２０９とステップ２０１を同時に実施してもよいことに留意されたい。即ち、ステップ２０１では、電子装置は被写界深度モードとリフォーカス・モードの両方を取得する。
【００７０】
２１０で、Ｒ個の画像内の対応するターゲット領域の各グループのうちそのターゲット領域が最高鮮明度を有する画像に従って、ターゲット画像を生成する。
【００７１】
表１の第２列の第２行からの各行に含まれるターゲット領域は１群の「対応領域」である。表１から、当該実施形態では全部でＭ個の１群の対応領域があることが分かる。
【００７２】
ステップ２１０が、対応するターゲット領域の各グループのうちそのターゲット領域が最高鮮明度を有する画像を別々に取得するステップと、取得した画像が同一の画像であるとき、当該画像をターゲット画像として使用するステップと、取得した画像が同一の画像でないとき、これらの画像を合成してターゲット画像を生成するステップとを含んでもよい。当該画像合成を先行技術の何れか１つ方式で実装してもよい。
【００７３】
例えば、Ｍ個の１群の対応するターゲット領域のうちそのターゲット領域が最高鮮明度を有する画像がそれぞれターゲット領域１ｂ、ターゲット領域２ｂ，・・・，およびターゲット領域Ｍｂである場合、Ｒ個の画像においてｂ番目の画像をターゲット画像として使用する。
【００７４】
別の例として、Ｍ個の１群の対応するターゲット領域のうちそのターゲット領域が最高鮮明度を有する画像がそれぞれターゲット領域１１、ターゲット領域２３、ターゲット領域３３、ターゲット領域４６，・・・，およびターゲット領域Ｍｂである場合、Ｒ個の画像において１番目、３番目、６番目、・・・ｂ番目を合成してターゲット画像を生成する。ステップ２１０を実施した後、ステップ２１２を実施する。
【００７５】
２１１で、当該Ｒ個の画像内の対応するターゲット領域の各グループのうちそのターゲット領域が最低鮮明度を有する画像に従ってターゲット画像を生成する。
【００７６】
当業者は以上のステップ２１０の具体的な実装方式に従ってステップ２１１の具体的な実装方式を導出できるはずであることに留意されたい。２１２で、ターゲット画像を表示し保存する。ステップ２１２を実施した後、リフォーカスのプロセスが終了する。
【００７７】
場合によっては、図３に示すように、ステップ２０１と２０２を以下のステップで置き換えてもよい。即ち、２０１’で、電子装置が、撮影される物体を含む基準画像をリアルタイムに収集する。
【００７８】
例示的に、当該画像が以上の「Ｒ個の画像」のうち１つであってもよく、以上の「Ｒ個の画像」のうち１つでなくてもよい。
【００７９】
２０２’で、ユーザにより提供され基準画像に含まれる少なくとも２つのソース・ピントと、当該少なくとも２つのピントに対応する物体を覆う被写界深度範囲を取得する。
【００８０】
本発明の当該実施形態に従うリフォーカスを実現するための方法では、被写界深度範囲において異なる被写界深度を有する少なくとも２つの画像の各々のターゲット領域（即ち、リフォーカス領域）の鮮明度を取得してリフォーカスを実現するように、電子装置が、ユーザが提供した被写界深度範囲を取得する。このように、電子装置は複数のカメラまたはレーザ／赤外線測定装置を構成せずにリフォーカスを実現でき、それにより、先行技術と比べてリフォーカスを実現するコストが削減される。さらに、ユーザにより提供された被写界深度モードを取得し、当該被写界深度モードに対応する被写界深度範囲を取得して、ユーザの個別の要件を満たし、それにより、ユーザ・エクスペリエンスを高める。
【００８１】
実施形態３
図４は、本発明の１実施形態に従うリフォーカスを実現するための電子装置４を示す。電子装置４は、図１に示すリフォーカスを実現するための方法を実行するように構成され、異なる被写界深度を有する撮影される物体の少なくとも２つの画像を取得するように構成された画像取得ユニット４１と、ユーザにより当該少なくとも２つの画像のうち１つの部分領域に対して実施される命令動作を取得するように構成された命令動作取得ユニット４２と、当該命令動作に従ってターゲット領域を決定するように構成された決定ユニット４３と、当該少なくとも２つの画像の各々におけるターゲット領域の鮮明度を取得するように構成された鮮明度取得ユニット４４と、当該少なくとも２つの画像の各々におけるターゲット領域の鮮明度に従ってターゲット画像を生成するように構成された生成ユニット４５とを備える。
【００８２】
場合によっては、生成ユニット４５は特に、当該少なくとも２つの画像から、鮮明度が所定の条件を満たすターゲット領域を有するＫ個の画像を取得し、Ｋ＝１のとき、当該所定の条件を満たす画像をターゲット画像として使用し、Ｋ＞１のとき、当該所定の条件を満たすＫ個の画像を合成してターゲット画像を生成するように構成される。Ｋ≧１、Ｋは整数であり、当該所定の条件は、鮮明度が第１の閾値以上であること、鮮明度が第２の閾値以下であること、および鮮明度が所定の値範囲に入ることのうち何れか１つである。
【００８３】
場合によっては、Ｋ＝１のとき、図５に示すように、電子装置４はさらに、リフォーカス・モードを取得するように構成されたモード取得ユニット４６を備える。当該リフォーカス・モードは鮮明リフォーカス・モードまたは不鮮明リフォーカス・モードを含む。鮮明リフォーカス・モードは、当該少なくとも２つの画像のうちそのターゲット領域が最高鮮明度を有する画像に従ってターゲット画像を生成するように当該電子装置に指示するように構成され、不鮮明リフォーカス・モードは、当該少なくとも２つの画像のうちそのターゲット領域が最低鮮明度を有する画像に従ってターゲット画像を生成するように当該電子装置に指示するように構成される。生成ユニット４５は特に、当該少なくとも２つの画像の各々におけるリフォーカス・モードおよびターゲット領域の鮮明度に従ってターゲット画像を生成するように構成される。
【００８４】
場合によっては、決定ユニット４３は特に、当該命令動作が実行される領域をターゲット領域として使用するか、または、当該命令動作が実行される領域が顔領域であるとき、当該顔領域をターゲット領域として使用するか、または、当該命令動作が実行される領域内にあるポイントが中心である領域をターゲット領域として使用するように構成される。
【００８５】
場合によっては、図５に示すように、電子装置４はさらに、ユーザにより提供された撮影される物体の被写界深度範囲を取得するように構成された被写界深度範囲取得ユニット４７を備える。画像取得ユニット４１は特に、当該被写界深度範囲において、異なる被写界深度を有する撮影される物体の少なくとも２つの画像を取得するように構成される。
【００８６】
場合によっては、画像取得ユニット４１はさらに、撮影される物体を含む基準画像をリアルタイムに収集するように構成される。被写界深度範囲取得ユニット４７は特に、ユーザにより提供され基準画像に含まれる少なくとも２つのピントを取得し、当該少なくとも２つのピントに対応する物体を覆う被写界深度範囲を取得するように構成される。
【００８７】
場合によっては、図５に示すように、電子装置４さらに、グローバル・レジストレーションを当該少なくとも２つの画像に実施するように構成されたグローバル・レジストレーション・ユニット４８を備える。
【００８８】
本発明の当該実施形態で提供する電子装置では、異なる被写界深度を有する撮影される物体の少なくとも２つの画像の各々におけるターゲット領域（即ち、リフォーカス領域）の鮮明度に従ってリフォーカスを実現する。このように、当該電子装置は複数のカメラまたはレーザ／赤外線測定装置を構成せずにリフォーカスを実現でき、それにより、先行技術と比べてリフォーカスを実現するコストが削減される。
【００８９】
実施形態４
図６は、本発明の１実施形態に従うリフォーカスを実現するための電子装置６を示す。電子装置６は、図１に示す当該リフォーカス方法を実行するように構成され、メモリ６１とプロセッサ６２を備える。
【００９０】
メモリ６１は１群のコードを格納するように構成される。当該コードは、異なる被写界深度を有する撮影される物体の少なくとも２つの画像を取得し、ユーザにより当該少なくとも２つの画像のうち１つの部分領域に対して実施される命令動作を取得し、当該命令動作に従ってターゲット領域を決定し、当該少なくとも２つの画像の各々におけるターゲット領域の鮮明度を取得し、当該少なくとも２つの画像の各々におけるターゲット領域の鮮明度に従ってターゲット画像を生成するようにプロセッサ６２を制御するために使用される。
【００９１】
場合によっては、プロセッサ６２は特に、当該少なくとも２つの画像から、鮮明度が所定の条件を満たすターゲット領域を有するＫ個の画像を取得し、Ｋ＝１のとき、当該所定の条件を満たす画像をターゲット画像として使用し、Ｋ＞１のとき、当該所定の条件を満たすＫ個の画像を合成してターゲット画像を生成するように構成される。Ｋ≧１、Ｋは整数であり、当該所定の条件は、鮮明度が第１の閾値以上であること、鮮明度が第２の閾値以下であること、および鮮明度が所定の値範囲に入ることのうち何れか１つである。
【００９２】
場合によっては、Ｋ＝１のとき、プロセッサ６２はさらに、リフォーカス・モードを取得するように構成される。当該リフォーカス・モードは、鮮明リフォーカス・モードと不鮮明リフォーカス・モードを含み、鮮明リフォーカス・モードは、当該少なくとも２つの画像のうちそのターゲット領域が最高鮮明度を有する画像に従ってターゲット画像を生成するように当該電子装置に指示するように構成され、不鮮明リフォーカス・モードは、当該少なくとも２つの画像のうちそのターゲット領域が最高鮮明度を有する画像に従ってターゲット画像を生成するように当該電子装置に指示するように構成される。当該プロセッサは特に、当該少なくとも２つの画像の各々におけるリフォーカス・モードおよびターゲット領域の鮮明度に従ってターゲット画像を生成するように構成される。
【００９３】
場合によっては、プロセッサ６２は特に、当該命令動作が実行される領域をターゲット領域として使用するか、または、当該命令動作が実行される領域が顔領域であるとき、当該顔領域をターゲット領域として使用するか、または、当該命令動作が実行される領域内にあるポイントが中心である領域をターゲット領域として使用するように構成される。
【００９４】
場合によっては、プロセッサ６２はさらに、ユーザにより提供された撮影される物体の被写界深度範囲を取得するように構成される。プロセッサ６２は特に、当該被写界深度範囲において、異なる被写界深度を有する撮影される物体の少なくとも２つの画像を取得するように構成される。
【００９５】
場合によっては、プロセッサ６２はさらに、撮影される物体を含む基準画像をリアルタイムに収集するように構成される。プロセッサ６２は特に、ユーザにより提供され基準画像に含まれる少なくとも２つのピントを取得し、当該少なくとも２つのピントに対応する物体を覆う被写界深度範囲を取得するように構成される。
【００９６】
場合によっては、プロセッサ６２はさらに、グローバル・レジストレーションを当該少なくとも２つの 画像に実施するように構成される。
【００９７】
本発明の当該実施形態で提供する電子装置では、異なる被写界深度を有する撮影される物体の少なくとも２つの画像の各々におけるターゲット領域（即ち、リフォーカス領域）の鮮明度に従ってリフォーカスを実現する。このように、当該電子装置は複数のカメラまたはレーザ／赤外線測定装置を構成せずにリフォーカスを実現でき、それにより、先行技術と比べてリフォーカスを実現するコストが削減される。
【００９８】
説明の便宜上および簡単さのため、以上のシステム、装置、およびユニットの詳細な動作プロセスについては、上述の方法の実施形態における対応するプロセスを参照でき、詳細についてはここでは繰り返されていないことは当業者には明確に理解される。
【００９９】
本願で提供した幾つかの実施形態では、開示したシステム、装置、および方法を他の方式で実装してもよいことは理解される。例えば、説明した装置の実施形態は例にすぎない。例えば、ユニット分割は論理的な機能分割にすぎず、実際の実装では別の分割を使用してもよい。例えば、複数のユニットまたはコンポーネントを別のシステムに組み合せるかもしくは統合してもよく、または、幾つかの機能を無視するかもしくは実装しなくともよい。さらに、表示または説明した相互接続もしくは直接接続または通信接続を、何らかのインタフェースを介して実装してもよい。装置またはユニットの間の間接接続または通信接続を、電子的、機械的、または他の形態で実装してもよい。
【０１００】
独立な部分として説明したユニットが物理的に独立であってもなくてもよく、ユニットとして表示した部分が、物理的なユニットであってもなくてもよく、１つの位置に配置されてもよく、または、複数のネットワーク・ユニットに分散されてもよい。ユニットの部分または全部を、諸実施形態の解決策の目的を達成するための実際のニーズに従って選択してもよい。
【０１０１】
さらに、本発明の諸実施形態の機能ユニットを１つの処理ユニットに統合してもよく、または、ユニットの各々が物理的に単体で存在してもよく、または、２つ以上のユニットが１つのユニットに統合される。当該統合ユニットがハードウェアの形であってもよく、または、ソフトウェア機能ユニットに加えてハードウェアの形で実装してもよい。
【０１０２】
以上の統合ユニットをソフトウェア機能ユニットの形で実装するとき、当該統合ユニットをコンピュータ可読記憶媒体に格納してもよい。当該ソフトウェア機能ユニットは、記憶媒体に格納され、本発明の諸実施形態で説明した方法の諸ステップの一部を実施するようにコンピュータ装置（パーソナル・コンピュータ、サーバ、またはネットワーク装置であってもよい）に指示するための幾つかの命令を含む。以上の記憶媒体には、ＵＳＢフラッシュ・ドライブ、取外し可能ハード・ディスク、ＲＯＭ（Ｒｅａｄ−Ｏｎｌｙ  Ｍｅｍｏｒｙ、読取専用メモリ）、ＲＡＭ（Ｒａｎｄｏｍ  Ａｃｃｅｓｓ  Ｍｅｍｏｒｙ、ランダム・アクセス・メモリ）、磁気ディスク、または光ディスクのような、プログラム・コードを記憶できる任意の媒体が含まれる。
【０１０３】
最後に、以上の実施形態は本発明の技術的解決策を説明するためのものにすぎず本発明を限定するものではないことに留意されたい。以上の実施形態を参照して本発明を詳細に説明したが、本発明の諸実施形態の技術的解決策の趣旨と範囲から逸脱せずに、当業者が以上の諸実施形態で説明した技術的解決策に修正を加え、その一部の技術的解決策に均等な置換えを行ってもよいことは当業者には理解される。
【符号の説明】
【０１０４】
４  電子装置
４１  画像取得ユニット
４２  命令動作取得ユニット
４３  決定ユニット
４４  鮮明度取得ユニット
４５  生成ユニット
４６  モード取得ユニット
４７  被写界深度範囲取得ユニット
４８  グローバル・レジストレーション・ユニット
６１  メモリ
６２  プロセッサ
【図１】
0006047807.tif 000003
【図２】
0006047807.tif 000004
【図３】
0006047807.tif 000005
【図４】
0006047807.tif 000006
【図５】
0006047807.tif 000007
【図６】
0006047807.tif 000008